(57)【特許請求の範囲】
【請求項１】
振動により着信報知を行う携帯通信端末であり、
通信相手のアドレスと重要度が登録された電話帳であり、この重要度の項目には当該通信相手が「重要」であるか「普通」であるかを示す情報が登録されている電話帳と、
前記携帯通信端末の筐体上部側に配置された第１振動器と、
前記携帯通信端末の筐体下部側に配置された第２振動器と、
制御部と、
他の携帯通信端末との交信を行う無線通信部と、
前記第１振動器と前記第２振動器のどちらが下側に位置しているかを検出する置き方センサとを備え、
前記第２振動器が前記第１振動器の下側に位置している時は、前記制御部は、前記着信が、前記電話帳に登録された通信相手の中で重要度が「重要」の通信相手からである場合に前記第２振動器を作動させ、重要度が「普通」の通信相手からの着信である場合に前記第１振動器を作動させ、
前記第１振動器が前記第２振動器の下側に位置している時は、前記制御部は、前記着信が、重要度が「重要」の通信相手からである場合に前記第１振動器を作動させ、重要度が「普通」の通信相手からの着信である場合に前記第２振動器を作動させる携帯通信端末。
【請求項２】
前記制御部は、前記着信が、重要度が「重要」の通信相手からである場合には、前記第１振動器および第２振動器を作動させる、
請求項１に記載の携帯通信端末。
【請求項３】
前記電話帳の重要度の項目には、「特に重要」を示す情報が登録可能であり、
前記制御部は、前記着信が、重要度が「特に重要」の通信相手からである場合には、前記第１振動器および第２振動器を作動させる、
請求項１に記載の携帯通信端末。
【請求項４】
前記置き方センサは、前記携帯通信端末の筐体の傾きを感知する傾きセンサである、請求項１乃至３の何れか１つに記載の携帯通信端末。
【請求項５】
前記置き方センサは、前記携帯通信端末の筐体が他の物体に接触しているかどうかを感知する接触センサである、請求項１乃至３の何れか１つに記載の携帯通信端末。
【請求項６】
前記第１振動器あるいは第２振動器は複数の振動器からなる、請求項１乃至５の何れか１つに記載の携帯通信端末。
【請求項７】
通信相手のアドレスと重要度を登録可能な電話帳と、携帯通信端末の筐体上部側に配置された第１振動器と、携帯通信端末の筐体下部側に配置された第２振動器と、他の携帯通信端末との交信を行う無線通信部と、前記第１振動器と前記第２振動器のどちらが下側に位置しているかを検出する置き方センサとを備えた携帯通信端末で使用される振動による着信報知方法であり、
前記携帯通信端末は、
（Ａ）着信時に、送信元電話番号と前記電話帳のアドレスとを比較照合して着信した通信相手の重要度を確認し、かつ、前記第１振動器と前記第２振動器のどちらが下側に位置しているかを検出し、
（Ｂ）前記第２振動器が前記第１振動器の下側に位置しており、かつ、確認された重要度が「重要」の場合は、前記第２振動器を作動させ、
（Ｃ）前記第２振動器が前記第１振動器の下側に位置しており、かつ、確認された重要度が「普通」の場合は、前記第１振動器を作動させ、
（Ｄ）前記第１振動器が前記第２振動器の下側に位置しており、かつ、確認された重要度が「重要」の場合は、前記第１振動器を作動させ、
（Ｅ）前記第１振動器が前記第２振動器の下側に位置しており、かつ、確認された重要度が「普通」の場合は、前記第２振動器を作動させる着信報知方法。
【請求項８】
前記ステップ（Ｂ）および（Ｄ）において、前記第１振動器および第２振動器を作動させる、
請求項７に記載の着信報知方法。
【請求項９】
前記電話帳の重要度の項目には、「特に重要」を示す情報が登録可能であり、
確認された重要度が「特に重要」の場合は、前記第１振動器および第２振動器を作動させるステップ（Ｆ）をさらに備えた、
請求項７に記載の着信報知方法。
【請求項１０】
前記ステップ（Ａ）において、前記第１振動器と前記第２振動器のどちらが下側に位置しているかを検出するにあたり、前記携帯通信端末の筐体の傾きを感知する、請求項７乃至９の何れか１つに記載の着信報知方法。
【請求項１１】
前記ステップ（Ａ）において、前記第１振動器と前記第２振動器のどちらが下側に位置しているかを検出するにあたり、前記携帯通信端末のどの面が他の物体と接しているかを感知する、請求項７乃至９の何れか１つに記載の着信報知方法。
【請求項１２】
前記第１振動器あるいは第２振動器は複数の振動器からなる、請求項７乃至１１の何れか１つに記載の着信報知方法。
【請求項１３】
通信相手のアドレスと重要度を登録可能な電話帳と、携帯通信端末の筐体上部側に配置された第１振動器と、携帯通信端末の筐体下部側に配置された第２振動器と、他の携帯通信端末との交信を行う無線通信部と、前記第１振動器と前記第２振動器のどちらが下側に位置しているかを検出する置き方センサとを備えた携帯通信端末で使用される振動による着信報知方法をコンピュータに実行させるためのプログラムであり、このプログラムは、下記ステップ（Ａ）乃至（Ｅ）を含む。
前記携帯通信端末は、
（Ａ）着信時に、送信元電話番号と前記電話帳のアドレスとを比較照合して着信した通信相手の重要度を確認し、かつ、前記第１振動器と前記第２振動器のどちらが下側に位置しているかを検出し、
（Ｂ）前記第２振動器が前記第１振動器の下側に位置しており、かつ、確認された重要度が「重要」の場合は、前記第２振動器を作動させ、
（Ｃ）前記第２振動器が前記第１振動器の下側に位置しており、かつ、確認された重要度が「普通」の場合は、前記第１振動器を作動させ、
（Ｄ）前記第１振動器が前記第２振動器の下側に位置しており、かつ、確認された重要度が「重要」の場合は、前記第１振動器を作動させ、
（Ｅ）前記第１振動器が前記第２振動器の下側に位置しており、かつ、確認された重要度が「普通」の場合は、前記第２振動器を作動させる。
【請求項１４】
前記ステップ（Ｂ）および（Ｄ）において、前記第１振動器および第２振動器を作動させる、
請求項１３に記載のプログラム。
【請求項１５】
前記電話帳の重要度の項目には、「特に重要」を示す情報が登録可能であり、
確認された重要度が「特に重要」の場合は、前記第１振動器および第２振動器を作動させるステップ（Ｆ）をさらに備えた、
請求項１３に記載のプログラム。
【請求項１６】
前記ステップ（Ａ）において、前記第１振動器と前記第２振動器のどちらが下側に位置しているかを検出するにあたり、前記携帯通信端末の筐体の傾きを感知する、請求項１３乃至１５の何れか１つに記載のプログラム。
【請求項１７】
前記ステップ（Ａ）において、前記第１振動器と前記第２振動器のどちらが下側に位置しているかを検出するにあたり、前記携帯通信端末のどの面が他の物体と接しているかを感知する、請求項１３乃至１５の何れか１つに記載のプログラム。
【請求項１８】
前記第１振動器あるいは第２振動器は複数の振動器からなる、請求項１３乃至１７の何れか１つに記載のプログラム。
【発明の詳細な説明】
【技術分野】
【０００１】
本発明は、携帯電話機等の携帯通信端末で採用されている振動による着信報知技術に関する。特に、本発明は、携帯通信端末を卓上等に放置して使用する際の振動による着信報知技術に関する。
【背景技術】
【０００２】
近年広く使用されている携帯電話機は、振動を発生することにより利用者に着信等を報知する機能を備えている。この機能は一般にマナーモードと呼ばれている。
【０００３】
より大きな振動や、種類の異なる振動を発生させるため、複数の振動器を備えた携帯電話機が提案されている。例えば特開２００３−２１１０８６（特許文献１）は、２個の振動器を共振させることにより、強力な振動を発生する技術を記載している。また、特開２００６−１５７６４２（特許文献２）は、異なる振動を発生する振動器を組み合わせて作動させることにより、どのキーを押下したかの識別を可能とする技術を記載している。
【０００４】
【特許文献１】特開２００３−２１１０８６
【特許文献２】特開２００６−１５７６４２
【発明の開示】
【発明が解決しようとする課題】
【０００５】
振動器を複数個備えた携帯電話機は、発生する振動の強さや種類の多さの点において、振動器を１個のみ備えた携帯電話機より優れている。しかしながら、振動器を複数個備えた携帯電話機は、消費電力が大きいため使用可能時間が短くなる。
【０００６】
また、マナーモードは、主に次の二つを想定して、設計されている。一つは、携帯電話機を手に持って、利用者が使用する場合である。もう一つは、携帯電話機をポケット等に入れて、利用者が使用する場合である。このため、振動器を１個のみ備えた携帯電話機を卓上等に放置して、利用者が使用する場合には、着信の際に発生する振動音を、利用者は感知しにくいという問題があった。この問題は、特許文献１に開示された技術により解決されうる。しかしながら、消費電力が大きいため使用可能時間が短くなる問題は、依然解決されない。
【０００７】
本発明は、利用者が複数の振動器を備えた携帯電話機を卓上等に放置してマナーモードで使用する際に、消費電力を低減させることが可能な技術を提供することを目的とする。
【課題を解決するための手段】
【０００８】
本発明の第１の側面は、
振動により着信報知を行う携帯通信端末であり、
通信相手のアドレスと重要度が登録された電話帳であり、この重要度の項目には当該通信相手が「重要」であるか「普通」であるかを示す情報が登録されている電話帳と、
携帯通信端末の筐体上部側に配置された第１振動器と、
携帯通信端末の筐体下部側に配置された第２振動器と、
着信が、電話帳に登録された通信相手の中で重要度が「重要」の通信相手からである場合には、第２振動器を作動させ、重要度が「普通」の通信相手からの着信である場合には、第１振動器を作動させる制御部と、
他の携帯通信端末との交信を行う無線通信部、
とを備えた携帯通信端末を提供する。
【０００９】
本発明の第２の側面は、
通信相手のアドレスと重要度を登録可能な電話帳と、携帯通信端末の筐体上部側に配置された第１振動器と、携帯通信端末の筐体下部側に配置された第２振動器と、他の携帯通信端末との交信を行う無線通信部とを備えた携帯通信端末で使用される振動による着信報知方法であり、
（Ａ）着信時に、送信元電話番号と電話帳のアドレスとを比較照合して着信した通信相手の重要度を確認し、
（Ｂ）確認された重要度が「重要」の場合は、第２振動器を作動させ、
（Ｃ）確認された重要度が「普通」の場合は、第１振動器を作動させる
ことを特徴とする着信報知方法を提供する。
【００１０】
本発明の第３の側面は、
通信相手のアドレスと重要度を登録可能な電話帳と、携帯通信端末の筐体上部側に配置された第１振動器と、携帯通信端末の筐体下部側に配置された第２振動器と、他の携帯通信端末との交信を行う無線通信部とを備えた携帯通信端末で使用される振動による着信報知方法をコンピュータに実行させるためのプログラムであり、
（Ａ）着信時に、送信元電話番号と電話帳のアドレスとを比較照合して着信した通信相手の重要度を確認し、
（Ｂ）確認された重要度が「重要」の場合は、第２振動器を作動させ、
（Ｃ）確認された重要度が「普通」の場合は、第１振動器を作動させる
ことを特徴とするプログラムを提供する。
【発明の効果】
【００１１】
本発明は、複数個の振動器を備えた携帯通信端末の消費電力を低減させる。また、本発明は、利用者が携帯通信端末を卓上等に放置してマナーモードで使用する際に、通信相手の重要度を考慮した着信報知を利用者が受けることを可能とする。
【発明を実施するための最良の形態】
【００１２】
次に、本発明の実施形態が図面を参照して説明される。
【００１３】
［第１の実施形態］
図１は、本発明の第１の実施形態に係る携帯電話機の構成例を示すブロック図である。この携帯電話機１は、制御部１０と、無線通信部１１と、表示部１２と、キー入力部１３と、電話帳１４と、第１振動器１５と、第２振動器１６からなる。
【００１４】
無線通信部１１は、他の携帯電話機との通信を行う。
【００１５】
表示部１２は、液晶ディスプレイを含み、携帯電話機１が提供する文字図形情報を表示する。
【００１６】
キー入力部１３は、テンキーと、オンフックキー、オフフックキー、電源のオンオフキー等の機能キーを含む。利用者は、キー入力部１３のキーを押下することにより、携帯電話機１を操作する。
【００１７】
電話帳１４は、後述されるように、通信相手のアドレス（電話番号、メールアドレス等）と、通信相手の重要度とを登録している。
【００１８】
第１振動器１５と第２振動器１６は、それぞれが独立して作動可能である。
【００１９】
なお、制御部１０の機能は、実施形態毎に、後述される。この制御部１０は、好ましくは、中央制御装置（CPU）を用いて構成される。
【００２０】
図２は、第１の実施形態での携帯電話機における第１振動器１５および第２振動器１６の配置を示す。図２に示されたように、携帯電話機１は折りたたみ型であり、表示部１２等を含む液晶側筐体（「筐体上部」とも称する）１Ａと、キー入力部１３等を含むキー側筐体（「筐体下部」とも称する）１Ｂに分けられている。第１振動器１５は、液晶側筐体１Ａの内部に配置されている。第２振動器１６は、キー側筐体１Ｂの内部に配置されている。なお、両振動器とも、この携帯電話機が折りたたまれた状態で、筐体の外側表面近くに配置されていることが好ましい。
【００２１】
また、図２は、携帯電話機１がどのような場所にどのような状態で置かれているかも示す。図２に示されたように、携帯電話機１は、キー側筐体１Ｂを下側にして、折りたたまれた状態で、卓９１の上に放置されている。
【００２２】
図３は、第１の実施形態で使用される電話帳１４の内容の一例を示す。図３は、３人の通信相手に関する登録内容を示している。各項目の内容は、データの連番であるＩＤと、電話番号と、メールアドレスと、重要度である。利用者は、「重要」な通信相手の重要度の項目には“１”を設定し、そうでない「普通」の通信相手の重要度の項目には“０”を設定する。
【００２３】
次に、図４を参照して、第１の実施形態の動作が説明される。図４は、この携帯電話機の着信時の動作を説明するためのフローチャートである。
【００２４】
この携帯電話機が着信すると、制御部１０は、図４のステップＳ１１１において、送信元電話番号を確認する。次に、制御部１０は、ステップＳ１１２において、送信元電話番号が、電話帳１４に登録されているか否かを判定する。
【００２５】
ステップＳ１１２での判定結果が“ＹＥＳ”の場合、制御部１０は、ステップＳ１１３で電話帳１４より該当する送信元電話番号の重要度を確認する。
【００２６】
ステップＳ１１３で確認された重要度が“１”の場合、即ち「重要」な通信相手からの着信の場合、制御部１０は、ステップＳ１１４で第２振動器１６の振動を開始させる。図２に示されたように、第２振動器１６は卓９１に接触しているキー側筐体１Ｂ内に配置されており、卓９１との接触面の近くに位置している。したがって第２振動器１６による振動が卓９１に伝わりやすいため、第２振動器１６は大きな振動音を発生させる。
【００２７】
一方、ステップＳ１１２での判定結果が“ＮＯ”の場合、制御部１０は、ステップ１１５を実行する。また、ステップＳ１１３で確認された重要度が“０”の場合 、即ち重要でない「普通」の通信相手からの着信の場合にも、制御部１０は、ステップＳ１１５を実行する。ステップＳ１１５では、制御部１０は、第１振動器１５の振動を開始させる。図２に示されたように、第１振動器１５は卓９１に接触していない液晶側筐体１Ａ内に配置されており、卓９１との接触面から遠くに位置している。したがって第１振動器１５による振動が卓９１に伝わりにくいため、第１振動器１５は比較的小さな振動音を発生させる。
【００２８】
ステップＳ１１６では、制御部１０は、利用者がオフフックキーを押下して着信に応答したか、または発信者が呼を切断したかを判定する。判定結果が“ＮＯ”の場合、制御部１０は、振動器の振動を継続したまま、ステップＳ１１６での判定を繰り返す。
【００２９】
ステップＳ１１６での判定結果が“ＹＥＳ”の場合、制御部１０は、ステップＳ１１７で現在振動している振動器を停止させる。
【００３０】
このように本実施形態に係る携帯電話機は、２個の振動器のうち常に１個のみを作動させる。このため、複数の振動器を備えそれらを常に同時に作動させる特許文献１に開示された携帯電話機に比べ、この携帯電話機は、消費電力を低減させる。
【００３１】
また、この携帯電話機は、「重要」な通信相手からの着信時には大きな振動音を、それ以外の着信時には比較的小さな振動音を発生させる。よって、利用者は、着信に応答する前に通信相手の重要度を識別できる。
【００３２】
また、振動音の大きさの差により、「重要」な通信相手からの着信は、それ以外の着信よりも利用者に気づかれやすい。このため、この携帯電話機は、「重要」な通信相手からの着信を、利用者に、より確実に報知することを可能にする。
【００３３】
［第２の実施形態］
次に、本発明の第２の実施形態につき、説明される。
【００３４】
第２の実施形態の装置構成は、図１と同様である。また、第１振動器１５と第２振動器１６の配置および携帯電話機の卓上での置かれ方も図２と同様である。また、電話帳１４の内容も図３と同様である。
【００３５】
次に、図５を参照して、第２の実施形態の動作が説明される。図５は、この携帯電話機の着信時の動作を説明するためのフローチャートである。なお、図５のフローチャートにおいて、図４のフローチャートの参照符号と同一の符号を付したステップは、図４で説明したステップと同一内容である。したがって、これら同一内容のステップについての説明は省略される。図５では、図４のステップＳ１１４が、ステップＳ２１４に置き換えられている。
【００３６】
図５では、ステップＳ１１３で確認された重要度が“１”の場合、即ち「重要」な通信相手からの着信の場合、制御部１０は、ステップＳ２１４で第１振動器１５および第２振動器１６の振動を開始させる。２個の振動器は、第１の実施形態のように第２振動器１６を単独で作動させた場合に比べ、さらに大きな振動音を発生させる。
【００３７】
このように本実施形態に係る携帯電話機は、「重要」な通信相手からの着信時には２個の振動器を同時に作動させることにより、第１の実施形態よりもさらに大きな振動音を発生させる。このため、この携帯電話機は、「重要」な通信相手からの着信を、第１の実施形態よりもさらに確実に、利用者に報知することを可能にする。
【００３８】
また、この携帯電話機は、重要でない「普通」の通信相手からの着信時には、２個の振動器のうち１個のみを作動させる。このため、複数の振動器を備えそれらを常に同時に作動させる特許文献１に開示された携帯電話機に比べ、この携帯電話機は、消費電力を低減させる。
【００３９】
［第３の実施形態］
次に、本発明の第３の実施形態につき、説明される。
【００４０】
第３の実施形態の装置構成も、図１と同様である。また、第１振動器１５と第２振動器１６の配置および携帯電話機１の卓上での置かれ方も図２と同様である。
【００４１】
図６は、第３の実施形態で使用される電話帳１４の内容の一例を示す。図６は、５人の通信相手に関する登録内容を示している。利用者は、「特に重要」な通信相手の重要度の項目には“２”を設定し、「重要」な通信相手の重要度の項目には“１”を設定する。また利用者は、それ以外の「普通」の通信相手の重要度の項目には“０”を設定する。重要度の順位は、重要度“２”が最も重要度が高く、次が重要度“１”であり、最も低いのが重要度“０”である。ＩＤと、電話番号と、メールアドレスの項目には、図３と同様の情報が設定される。
【００４２】
次に、図７を参照して、第３の実施形態の動作が説明される。図７は、この携帯電話機の着信時の動作を説明するためのフローチャートである。なお、図７のフローチャートにおいて、図４および図５のフローチャートの参照符号と同一の符号を付したステップは、図４および図５で説明したステップと同一内容である。したがって、これら同一内容のステップについての説明は省略される。図７では、図５のステップＳ１１３が、ステップＳ３１３に置き換えられている。
【００４３】
図７では、ステップＳ３１３で確認された重要度が“２”の場合、即ち「特に重要」な通信相手からの着信の場合、制御部１０は、ステップＳ２１４で第１振動器１５および第２振動器１６の振動を開始させる。
【００４４】
また、ステップＳ３１３で確認された重要度が“１”の場合、即ち「重要」な通信相手からの着信の場合、制御部１０は、ステップＳ１１４で第２振動器１６の振動を開始させる。
【００４５】
また、ステップＳ１１２での判定結果が“ＮＯ”の場合、制御部１０はステップＳ１１５を実行する。ステップＳ３１３で確認された重要度が“０”の場合、即ち重要でない「普通」の通信相手からの着信の場合にも、制御部１０はステップＳ１１５を実行する。ステップＳ１１５では、制御部１０は第１振動器１５の振動を開始させる。
【００４６】
本実施形態に係る携帯電話機は、重要度を３段階設定できることにより、第１および第２の実施形態に比べ、より柔軟できめ細やかな着信の報知を行うことができる。また、この携帯電話機は、「特に重要」な一部の通信相手のみを重要度“２”に設定することにより、２個の振動器が同時に作動する機会を減らし、第２の実施形態に比べ、消費電力を低減させる。
【００４７】
［第４の実施形態］
次に、本発明の第４の実施形態につき、説明される。
【００４８】
図８は、第４の実施形態に係る携帯電話機の構成例を示すブロック図である。なお、図８のブロック図は、傾きセンサ１７が加えられたことを除いては図１のブロック図と同一内容である。したがって、これら同一内容の構成要素についての説明は省略される。
【００４９】
傾きセンサ１７は、 携帯電話機１の筐体の傾きを感知し、携帯電話機１がどのような向きで置かれているかを判定する。
【００５０】
なお、第４の実施形態における、第１振動器１５と第２振動器１６の配置は図２と同様である。また、電話帳１４の内容も図３と同様である
次に、図２および図９を参照して、第４の実施形態における携帯電話機１の卓上での置かれ方と、傾きセンサ１７の動作が具体的に説明される。
【００５１】
図２は、第１、第２および第３の実施形態と同様に、携帯電話機１が卓９１の上に、キー側筐体１Ａを下側にして、折りたたまれた状態で放置されていることを示す。一方で、図９は、携帯電話機１が卓９１の上に、液晶側筐体１Ｂを下側にして、折りたたまれた状態で放置されていることを示す。
【００５２】
傾きセンサ１７は、携帯電話機１の筐体の傾きを検出する。即ち傾きセンサ１７は、第１振動器１５と、第２振動器１６のどちらが下側に位置しているかを検出する。このため、傾きセンサ１７は、携帯電話機１が、図２の向きで卓上に放置されているのか、図９の向きで卓上に放置されているのかを判定することが出来る。
【００５３】
次に、図１０を参照して、第４の実施形態の動作が説明される。図１０は、この携帯電話機の着信時の動作を説明するためのフローチャートである。なお、図１０のフローチャートにおいて、図４のフローチャートの参照符号と同一の符号を付したステップは、図４で説明したステップと同一内容である。したがって、これら同一内容のステップについての説明は省略される。
【００５４】
この携帯電話機が着信すると、制御部１０は、図１０のステップＳ４０１において、傾きセンサが示す第１振動器１５と第２振動器１６の位置関係を確認する。次に、制御部１０は、ステップＳ４０２において、図２のようにキー側筐体１Ｂが下側か、図９のように液晶側筐体１Ａが下側かの判定を行う。
【００５５】
ステップＳ４０２で第２振動器１６が下側と判定された場合、即ちキー側筐体１Ｂが下側と判定された場合の動作が以下に説明される。図１０の以降のステップにおいて、この携帯電話機は、第１の実施形態と同様の動作を行う。即ち、この携帯電話機は、図１０のステップＳ１１１乃至Ｓ１１５において、図４のステップＳ１１１乃至Ｓ１１５と同じ動作を行う。
【００５６】
次に、ステップＳ４０２で第１振動器１５が下側と判定された場合、即ち液晶側筐体１Ａが下側と判定された場合の動作が以下に説明される。図１０のステップＳ４１１、Ｓ４１２およびＳ４１３においては、この携帯電話機は、第１の実施形態と同様の動作を行う。即ち、図４のステップＳ１１１乃至Ｓ１１３と同様、送信元電話番号が電話帳に登録されているか否かが判定され、登録されている場合はその重要度が確認される。
【００５７】
ステップＳ４１３で確認された重要度が“１”の場合、即ち「重要」な通信相手からの着信の場合、制御部１０は、ステップＳ４１４で第１振動器１５の振動を開始する。ステップＳ４０２で判明したとおり、図９で示されたように、第１振動器１５は卓９１に接触している液晶側筐体１Ａ内に配置されており、卓９１との接触面の近くに位置している。第１振動器１５による振動が卓９１に伝わりやすいため、第１振動器１５は大きな振動音を発生させる。
一方、ステップＳ４１２での判定結果が“ＮＯ”の場合、制御部１０はステップＳ４１５を実行する。ステップＳ４１３で確認された重要度が“０”の場合 、即ち重要でない「普通」の通信相手からの着信の場合にも、制御部１０はステップＳ４１５を実行する。ステップＳ４１５では、制御部１０は第２振動器１６の振動を開始させる。ステップＳ４０２で判明したとおり、図９で示されたように、第２振動器１６は卓９１に接触していないキー側筐体１Ｂ内に配置されており、卓９１との接触面から遠くに位置している。第２振動器１６による振動が卓９１に伝わりにくいため、第２振動器１６は比較的小さな振動音を発生させる。
【００５８】
ステップＳ１１６およびＳ１１７においては、この携帯電話機は第１の実施形態と同様の動作を行う。即ち、オフフックされるか、呼が切断されるかした場合、現在振動している振動器が停止される。
【００５９】
このように本実施形態に係る携帯電話機は、置かれている向きにかかわらず、第１の実施形態同様の重要度に応じた振動による報知を行うことが出来る。即ち、「重要」な通信相手からの着信時には、この携帯電話機は、下側に位置している振動器を作動させて大きな振動音を発生する。一方で、重要でない「普通」の通信相手からの着信時には、この携帯電話機は、上側に位置している振動器を作動させて比較的小さな振動音を発生する。
【００６０】
このため、例えば利用者が上下逆の向きに携帯電話を放置した場合も、意図したとおりの着信報知が行われる。また、例えば就寝時にベッドの上で使用している時、寝返り等で携帯電話機の向きが上下逆転した場合も、意図したとおりの着信報知が行われる。
【００６１】
なお、本実施形態では、ステップＳ１１１およびＳ４１１の送信元確認動作は、ステップＳ４０２の前に実行されても良いことはもちろんである。このことは、後述される実施形態でも同様である。
【００６２】
［第５の実施形態］
次に、本発明の第５の実施形態につき、説明される。
【００６３】
第５の実施形態の装置構成は、図８と同様である。また、第１振動器１５と第２振動器１６の配置および携帯電話機の卓上での置かれ方は図２または図９と同様である。また、電話帳１４の内容は図３と同様である。
【００６４】
次に、図１１を参照して、第５の実施形態の動作が説明される。図１１は、この携帯電話機の着信時の動作を説明するためのフローチャートである。なお、図１１のフローチャートにおいて、図４、図５および図１０のフローチャートの参照符号と同一の符号を付したステップは、図４、図５および図１０で説明したステップと同一内容である。したがって、これら同一内容のステップについての説明は省略される。図１１では、図１０のステップＳ４１４が、ステップＳ５１４に置き換えられている。
【００６５】
本実施形態は、ステップＳ１１３およびステップＳ４１３で確認された重要度が“１”の場合を除いては、第４の実施形態と同一の動作を行う。以下に、同一でない箇所の動作が説明される。
【００６６】
図１１では、ステップＳ１１３で確認された重要度が“１”の場合、即ち「重要」な通信相手からの着信の場合、制御部１０は、ステップＳ２１４で第１振動器１５および第２振動器１６の振動を開始させる。
【００６７】
また、ステップＳ４１３で確認された重要度が“１”の場合、即ち「重要」な通信相手からの着信の場合にも、制御部１０は、ステップＳ５１４で第１振動器１５および第２振動器１６の振動を開始させる。
【００６８】
このように本実施形態に係る携帯電話機は、置かれている向きにかかわらず、第２の実施形態同様の重要度に応じた振動による報知を行うことが出来る。即ち、「重要」な通信相手からの着信時には、この携帯電話機は、２個の振動器を同時に作動させてより大きな振動音を発生する。一方で、重要でない「普通」の通信相手からの着信時には、この携帯電話機は、上側に位置している振動器を作動させて比較的小さな振動音を発生する。
【００６９】
［第６の実施形態］
次に、本発明の第６の実施形態につき、説明される。
【００７０】
第６の実施形態の装置構成は、図８と同様である。また、第１振動器１５と第２振動器１６の配置および携帯電話機の卓上での置かれ方は図２または図９と同様である。また、電話帳１４の内容は図６と同様である。
【００７１】
次に、図１２を参照して、第６の実施形態の動作が説明される。図１２は、この携帯電話機の着信時の動作を説明するためのフローチャートである。なお、図１２のフローチャートにおいて、図４、図７、図１０および図１１のフローチャートの参照符号と同一の符号を付したステップは、図４、図７、図１０および図１１で説明したステップと同一内容である。したがって、これら同一内容のステップについての説明は省略される。図１２では、図１１のステップＳ４１３が、ステップＳ６１３に置き換えられている。
【００７２】
本実施形態は、ステップＳ３１３およびステップＳ６１３での重要度の確認と、ステップＳ２１４、Ｓ１１４、Ｓ１１５、Ｓ５１４、Ｓ４１４およびＳ４１５での振動器の作動を除いては、第５の実施形態と同一の動作を行う。以下に、同一でない箇所の動作が説明される。
【００７３】
図１２では、ステップＳ３１３で確認された重要度が“２”の場合、即ち「特に重要」な通信相手からの着信の場合、制御部１０は、ステップＳ２１４で第１振動器１５および第２振動器１６の振動を開始させる。
【００７４】
また、ステップＳ３１３で確認された重要度が“１”の場合、即ち「重要」な通信相手からの着信の場合、制御部１０は、ステップＳ１１４で第２振動器１６の振動を開始させる。
【００７５】
一方で、ステップＳ６１３で確認された重要度が“２”の場合、即ち「特に重要」な通信相手からの着信の場合、制御部１０は、ステップＳ５１４で第１振動器１５および第２振動器１６の振動を開始させる。つまり、本実施形態は、着信が「特に重要」な通信相手からの着信時には、ステップＳ４０２の判定結果にかかわらず第１振動器および第２振動器の両方を作動させる。
【００７６】
また、ステップＳ６１３で確認された重要度が“１”の場合、即ち「重要」な通信相手からの着信の場合、制御部１０は、ステップＳ４１４で第１振動器１５の振動を開始させる。
【００７７】
このように本実施形態に係る携帯電話機は、置かれている向きにかかわらず、第３の実施形態同様の重要度に応じた振動による報知を行うことが出来る。即ち、「特に重要」な通信相手からの着信時には、この携帯電話機は、２個の振動器を同時に作動させてより大きな振動音を発生する。また、「重要」な通信相手からの着信時には、この携帯電話機は、下側に位置している振動器を作動させて大きな振動音を発生する。一方で、重要でない「普通」の通信相手からの着信時には、この携帯電話機は、上側に位置している振動器を作動させて比較的小さな振動音を発生する。
【００７８】
以上のとおり、折りたたみ型携帯電話機の電話着信時を例として本発明の実施形態が説明された。しかしながら、本発明は、他のタイプの携帯電話機、例えばストレート型やスライド型にも適用できる。この場合、ストレート型では、携帯電話機筐体の表示部およびキー入力部を有する面が前述の実施形態の筐体上部に相当し、反対側の面が前述の実施形態の筐体下部に相当する。また、スライド型では、スライド機構で接続された２つの筐体のうち、表示部を有する筐体が前述の実施形態の筐体上部に相当し、キー入力部を有する筐体が前述の実施形態の筐体下部に相当する。
【００７９】
また、本発明は、携帯電話機以外の携帯通信端末、例えばＰＨＳ（Personal Handy-phone System）やＰＤＡ（Personal digital assistance）等にも適用できる。
【００８０】
また、本発明は、電話着信時以外に、電子メールの着信時にも適用できる。
【００８１】
また、本発明の第４乃至第６の実施形態においては、傾きセンサを備えることにより、携帯電話機が置かれている向きが判定された。この傾きセンサの代わりに、接触センサを使用しても、同様の効果が得られる。その場合、携帯電話機のどの面が卓と接しているかを接触センサが感知することにより、携帯電話機が置かれている向きが判定される。
【００８２】
また、本発明の第１乃至第６の実施形態においては、対となる２個の振動器を備える携帯電話機が示された。しかしながら、本発明は、より多くの個数の振動器を備える携帯電話機にも適用できる。例えば、第１振動器は、複数の振動器からなるグループであっても良い。このことは、第２振動器についても同様である。
【００８３】
また、本発明の第１乃至第６の実施形態においては、送信元電話番号が電話帳に登録されていない場合、重要でない「普通」の通信相手からの着信と同様の動作を行った。しかしながら、送信元電話番号が電話帳に登録されていない場合、着信を拒否する等の別の動作を行っても良い。また、この動作を行うかどうかを、利用者が選択して設定しても良い。
【図面の簡単な説明】
【００８４】
【図１】本発明の第１乃至第３の実施形態に係る携帯電話機の構成例を示すブロック図である。
【図２】本発明の携帯電話機の振動器の配置および、置かれ方の一例を示す図である。
【図３】図１の電話帳１４の内容の一例を示す図である。
【図４】本発明の第１の実施形態の動作を説明するためのフローチャートである。
【図５】本発明の第２の実施形態の動作を説明するためのフローチャートである。
【図６】図１の電話帳１４の内容の他の例を示す図である。
【図７】本発明の第３の実施形態の動作を説明するためのフローチャートである。
【図８】本発明の第４乃至第６の実施形態に係る携帯電話機の構成例を示すブロック図である。
【図９】本発明の携帯電話機の振動器の配置および、置かれ方の他の例を示す図である。
【図１０】本発明の第４の実施形態の動作を説明するためのフローチャートである。
【図１１】本発明の第５の実施形態の動作を説明するためのフローチャートである。
【図１２】本発明の第６の実施形態の動作を説明するためのフローチャートである。
【符号の説明】
【００８５】
１      携帯電話機
１０    制御部
１１    無線通信部
１２    表示部
１３    キー入力部
１４    電話帳
１５    第１振動器
１６    第２振動器
１７    傾きセンサ
【図１】
0004983440.tif 000002
【図２】
0004983440.tif 000003
【図３】
0004983440.tif 000004
【図４】
0004983440.tif 000005
【図５】
0004983440.tif 000006
【図６】
0004983440.tif 000007
【図７】
0004983440.tif 000008
【図８】
0004983440.tif 000009
【図９】
0004983440.tif 000010
【図１０】
0004983440.tif 000011
【図１１】
0004983440.tif 000012
【図１２】
0004983440.tif 000013